(57)【要約】【課題】ケーブルが引っ張られたときのコネクタ及び端子の損傷を防止でき、かつ端子に対するコネクタの着脱を容易に行うことができるディスプレイ装置を提供する。【解決手段】  ディスプレイ装置は、筐体と、表面に画像が表示される液晶パネルを含み、前記表面が筐体の正面側に露出し、かつ液晶パネルの裏面が筐体の背面で覆われるように筐体に保持されたディスプレイと、筐体における液晶パネルの裏面側に設けられ、ディスプレイに画像を出力する画像出力手段と、画像出力手段に設けられ、ケーブルＣの一端部に取り付けられたコネクタが抜き差し（着脱）される接続端子３０と、前記背面の、接続端子３０に対するコネクタ４０の抜き差しが阻害されない位置に、ケーブルＣの中間部の被固定部位を固定するための面状ファスナ５０と、を備えている。【選択図】図５
2014153534.tif 000002
【特許請求の範囲】
【請求項１】
筐体と、
表面に画像が表示される表示パネルを含み、前記表面が前記筐体の正面側に露出し、かつ前記表示パネルの裏面が前記筐体の背面で覆われるように前記筐体に保持されたディスプレイと、
前記筐体における前記表示パネルの裏面側に設けられ、前記ディスプレイに画像を出力する画像出力手段と、
前記画像出力手段に設けられ、ケーブルの一端部に取り付けられたコネクタが着脱される端子と、
前記背面の、前記端子に対する前記コネクタの着脱が阻害されない位置に前記ケーブルの中間部の少なくとも１つの部位を固定するための固定手段と、を備えるディスプレイ装置。
【請求項２】
前記固定手段は、前記背面の、前記端子に対して前記コネクタが着脱されるときの前記コネクタの移動領域から外れた位置に、前記少なくとも１つの部位を固定するための少なくとも１つの固定部材を有することを特徴とする請求項１に記載のディスプレイ装置。
【請求項３】
前記背面に設けられ、前記中間部の、前記少なくとも１つの部位に隣接する部分が巻き付けられる部材を更に備えることを特徴とする請求項２に記載のディスプレイ装置。
【請求項４】
前記表面は、矩形であり、
前記ディスプレイは、前記表面の一辺が水平であり、かつ前記表面の前記一辺に直交する他辺が水平でない第１の姿勢、及び前記一辺が水平でなく、かつ前記他辺が水平である第２の姿勢のいずれかで用いられ、
前記画像出力手段は、前記筐体の、前記表面の長手方向中間部に設けられ、
前記少なくとも１つの固定部材は、前記背面の、前記長手方向一端部に設けられた少なくとも１つの第１固定部材、及び前記背面の、前記長手方向他端部に設けられた少なくとも１つの第２固定部材を含むことを特徴とする請求項１〜３のいずれか一項に記載のディスプレイ装置。
【請求項５】
前記少なくとも１つの第１固定部材は、前記背面に前記長手方向に交差する方向に並べて配置された複数の第１固定部材であることを特徴とする請求項４に記載のディスプレイ装置。
【請求項６】
前記少なくとも１つの第２固定部材は、前記背面に前記長手方向に交差する方向に並べて配置された複数の第２固定部材であることを特徴とする請求項４又は５に記載のディスプレイ装置。
【請求項７】
表面に画像が表示される表示パネルを含むディスプレイを前記表面が正面側に露出し、かつ前記表示パネルの裏面を背面で覆うように保持する筐体の前記裏面側に設けられ、前記ディスプレイに画像を出力する画像出力手段に設けられた端子に対して、一端部に取り付けられたコネクタが着脱されるケーブルを、前記背面に固定するケーブル固定方法であって、
前記背面の、前記端子に対する前記コネクタの着脱が阻害されない位置に、前記ケーブルの中間部の少なくとも１つの部位を固定する工程を含むケーブル固定方法。
【請求項８】
前記固定する工程では、前記背面の、前記端子に対して前記コネクタが着脱されるときの前記コネクタの移動領域から外れた位置に、前記少なくとも１つの部位が固定されることを特徴とする請求項７に記載のケーブル固定方法。
【請求項９】
前記固定する工程では、前記少なくとも１つの部位は、該部位と前記一端部との間の部分が撓む位置に固定されることを特徴とする請求項８に記載のケーブル固定方法。
【請求項１０】
前記固定する工程では、前記中間部の、前記少なくとも１つの部位に隣接する部分が、前記背面に設けられた部材に巻き付けられることを特徴とする請求項８又は９に記載のケーブル固定方法。
【発明の詳細な説明】
【技術分野】
【０００１】
本発明は、ディスプレイ装置、及びケーブル固定方法に係り、更に詳しくは、表面に画像が表示される表示パネルを含むディスプレイを備えるディスプレイ装置、及び前記ディスプレイを保持する筐体の背面に前記ディスプレイ装置に接続されるケーブルを固定するケーブル固定方法に関する。
【背景技術】
【０００２】
従来、例えばパソコン等の装置本体に設けられた端子に装着されたコネクタを、固定部材を介して装置本体に固定することで、コネクタが取り付けられたケーブルが引っ張られたときのコネクタ及び端子の損傷を防止する技術が開示されている（例えば特許文献１参照）。
【発明の概要】
【発明が解決しようとする課題】
【０００３】
しかしながら、特許文献１に開示されている技術では、端子に対するコネクタの着脱を容易に行うことができなかった。
【課題を解決するための手段】
【０００４】
本発明は、筐体と、表面に画像が表示される表示パネルを含み、前記表面が前記筐体の正面側に露出し、かつ前記表示パネルの裏面が前記筐体の背面で覆われるように前記筐体に保持されたディスプレイと、前記筐体における前記表示パネルの裏面側に設けられ、前記ディスプレイに画像を出力する画像出力手段と、前記画像出力手段に設けられ、ケーブルの一端部に取り付けられたコネクタが着脱される端子と、前記背面の、前記端子に対する前記コネクタの着脱が阻害されない位置に前記ケーブルの中間部の少なくとも１つの部位を固定するための固定手段と、を備えるディスプレイ装置である。ここで、上記「固定」には、いわゆる「半固定」も含まれる。
【発明の効果】
【０００５】
本発明によれば、ケーブルが引っ張られたときのコネクタ及び端子の損傷を防止でき、かつ端子に対するコネクタの着脱を容易に行うことができる。
【図面の簡単な説明】
【０００６】
【図１】一実施形態の画像表示システムの構成を概略的に示す図である。
【図２】図２（Ａ）は、ディスプレイ装置の背面図であり、図２（Ｂ）は、ディスプレイ装置の側面図である。
【図３】ディスプレイ装置の制御の構成を示すブロック図である。
【図４】コントローラユニットに設けられた接続端子にコネクタを介して接続されたケーブルが筐体の背面に固定されている状態を示す図である。
【図５】接続端子に対するコネクタの抜き差し方向を説明するための図である。
【図６】接続端子に対してコネクタが抜き差しされるときの該コネクタの移動軌跡を説明するための図である。
【図７】図７（Ａ）〜図７（Ｃ）は、それぞれ接続端子に対するコネクタの差し込み量について説明するための図である。
【図８】変形例１における、コントローラユニットに設けられた接続端子にコネクタを介して接続されたケーブルが筐体の背面に固定された状態を示す図である。
【図９】変形例２における、ディスプレイが横向き姿勢のときに、コントローラユニットに設けられた接続端子にコネクタを介して接続されたケーブルが筐体の背面に固定された状態を示す図である。
【図１０】変形例２における、ディスプレイが縦向き姿勢のときに、コントローラユニットに設けられた接続端子にコネクタを介して接続されたケーブルが筐体の背面に固定された状態を示す図である。
【発明を実施するための形態】
【０００７】
以下、一実施形態を図１〜図７に基づいて説明する。図１には、一実施形態に係る画像表示システム１００が示されている。以下では、図１に示される、Ｚ軸方向を鉛直方向とするＸＹＺ３次元直交座標系を用いて説明する。
【０００８】
画像表示システム１００は、例えば、企業、行政機関等の会議におけるプレゼンテーション、教育機関における授業などに用いられる。
【０００９】
画像表示システム１００は、ディスプレイ１０を含むディスプレイ装置１１０と、ユーザＰＣ１３０とを含んで構成されており、ディスプレイ装置１１０が有する後述するコントローラユニット１４と、ユーザＰＣ１３０とは、ケーブルＣを介して接続されている。
【００１０】
ディスプレイ装置１１０は、ユーザＰＣ１３０の表示画像を表示可能であり、かつユーザが描く描画画像を表示可能な装置であり、例えば電子黒板や電子情報ボードとも呼ばれる。また、ディスプレイ装置１１０は、ディスプレイ１０に対する接触によってイベントを発生させ、このイベントを例えばマウス、キーボード等の入力装置のイベントとしてユーザＰＣ１３０に送信する。
【００１１】
ユーザＰＣ１３０は、ディスプレイ装置１１０に表示すべき画像を提供する情報処理装置である。ユーザＰＣ１３０は、画像信号を出力するインタフェースを備えており、ユーザＰＣ１３０の表示画像を形成する画像信号を所定のレート（例えば、毎秒３０フレーム）でディスプレイ装置１１０に供給する。
【００１２】
本実施形態では、ユーザＰＣ１３０は、インタフェースとして例えばＶＧＡ出力端子（不図示）を備えており、例えばＶＧＡケーブルであるケーブルＣを介してＶＧＡ信号をディスプレイ装置１１０に送信することができる。なお、ユーザＰＣ１３０は、各種無線通信プロトコルに準拠した無線通信により、表示画像を送信してもよい。
【００１３】
また、ユーザＰＣ１３０は、ディスプレイ装置１１０がディスプレイ１０に表示した画像を取得することができる。ユーザＰＣ１３０は、ＵＳＢポート（不図示）を備えており、不図示のＵＳＢケーブルを介して接続されたディスプレイ装置１１０に格納されている表示画像を、ＵＳＢ  Ｍａｓｓ Ｓｔｏｒａｇｅ  Ｃｌａｓｓ等の汎用ドライバを使用して取得することができる。
【００１４】
本実施形態では、図１に示されるように、ユーザＰＣ１３０としてノート型ＰＣが採用されているが、デスクトップ型ＰＣや、タブレット型ＰＣ、ＰＤＡ、デジタルビデオカメラ、デジタルカメラ等の画像フレームを供給可能な情報処理装置を採用しても良い。また、図１に示される画像表示システム１００では、１つのユーザＰＣ１３０が採用されているが、複数のユーザＰＣを採用しても良い。
【００１５】
以下に、ディスプレイ装置１１０について、詳細に説明する。ディスプレイ装置１１０は、一例として、図２（Ａ）に示されるように、ディスプレイ１０に加えて、画像出力手段１３、筐体１８、支持スタンド２０（図２（Ａ）では不図示、図１参照）などを備えている。
【００１６】
ディスプレイ１０は、一例として、図１及び図３に示されるように、画像が表示される矩形状の表面を有する大型（例えば４０インチ〜８０インチ）の液晶パネル１０ａ、液晶ドライバ１０ｂ、タッチセンサ１０ｃ等を有し、後述するコントローラユニット１４から出力された画像信号に応じた画像を液晶パネル１０ａの表面に表示する。液晶パネル１０ａは、タッチセンサ１０ｃと共に、タッチパネルを構成している。
【００１７】
筐体１８は、一例として、Ｙ軸方向を厚さ方向とする薄型の直方体形状の箱形部材から成り、−Ｙ側の面（正面）に、大きな矩形開口１８ａが形成されている（図１及び図２（Ｂ）参照）。筐体１８は、支持スタンド２０で支持されている。
【００１８】
筐体１８は、ディスプレイ１０を、液晶パネル１０ａの表面が矩形開口１８ａを介して正面側に露出し、かつ液晶パネル１０ａの裏面を＋Ｙ側の面（背面）で覆うように保持している。
【００１９】
画像出力手段１３は、一例として、ＰＣユニット１２、コントローラユニット１４及びこれらが収容されているパッケージ１５を含み、ディスプレイ１０に画像を出力する。パッケージ１５は、一例として、略直方体形状の箱形部材から成り、筐体１８の＋Ｙ側の面（背面）の＋Ｘ側部に装着されている。すなわち、ＰＣユニット１２及びコントローラユニット１４を含む画像出力手段１３は、筐体１８における液晶パネル１０ａの裏面側に設けられている。
【００２０】
ＰＣユニット１２は、一例として、画像作成アプリケーションを実行することにより画像を生成し、その画像信号をコントローラユニット１４へ出力する。ＰＣユニット１２には、タッチセンサ１０ｃ（図３参照）からの位置情報が入力され、入力された位置情報は、画像作成アプリケーション上の位置データとして用いられる。
【００２１】
ＰＣユニット１２は、図３に示されるように、ＣＰＵ１２ａ、ＲＯＭ（Ｒｅａｄ  Ｏｎｌｙ  Ｍｅｍｏｒｙ）１２ｂ、ＲＡＭ（Ｒａｎｄｏｍ  Ａｃｃｅｓｓ  Ｍｅｍｏｒｙ）１２ｃ、ストレージ１２ｄ、メディアドライブ１２ｅ、ネットワークＩ／Ｆ（Ｉｎｔｅｒ  Ｆａｃｅ）１２ｆ及び画像出力Ｉ／Ｆ１２ｇの各構成要素が、例えばアドレスバス、データバス等のバスラインを介して、双方向通信可能に接続されてなる。
【００２２】
ＣＰＵ１２ａは、所定のプログラムに基づいて、ディスプレイ装置１１０全体を統括制御する。
【００２３】
ＲＯＭ１２ｂは、ＩＰＬ（Ｉｎｉｔｉａｌ  Ｐｒｏｇｒａｍ  Ｌｏａｄｅｒ）等のＣＰＵ１２ａの駆動に用いられるプログラムが記憶されている。ＲＡＭ１２ｃは、ＣＰＵ１２ａのワークエリアとして使用される。
【００２４】
ストレージ１２ｄは、ディスプレイ装置用プログラム、画像データ等の各種データが記憶される。ストレージ１２ｄとしては、例えばＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等を用いてもよい。
【００２５】
上記ディスプレイ装置用プログラムは、インストール可能な形式又は実行可能な形式のファイルで、記録メディア１２ｈ等の、コンピュータで読み取り可能な記録媒体に記録して流通させるようにしてもよい。また、このディスプレイ装置用プログラムは、ストレージ１２ｄではなく、ＲＯＭ１２ｂに記憶されるようにしてもよい。
【００２６】
メディアドライブ１２ｅは、フラッシュメモリ等の記録メディア１２ｈに対するデータの読み出し又は書き込み（記憶）を制御する。記録メディア１２ｈは、メディアドライブ１２ｅに対して着脱自在な構成となっている。また、ＣＰＵ１２ａの制御にしたがってデータの読み出し又は書き込みを行う不揮発性メモリであれば、フラッシュメモリに限らず、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）等を用いてもよい。
【００２７】
ネットワークＩ／Ｆ１２ｆは、接続端子（イーサネット（登録商標）端子）を備え、インターネットを介したデータの入出力のやりとりを仲介する。
【００２８】
画像出力Ｉ／Ｆ１２ｇは、接続端子を備え、コントローラユニット１４が受け入れ可能な所定のアナログまたはデジタルの画像信号に変換して出力するようになっている。この画像信号としては、アナログＲＧＢ信号（ＶＧＡ）、コンポーネントビデオ信号、ＨＤＭＩ（Ｈｉｇｈ―Ｄｅｆｉｎｉｔｉｏｎ  Ｍｕｌｔｉｍｅｄｉａ  Ｉｎｔｅｒｆａｃｅ）信号、ＤＶＩ（Ｄｉｇｉｔａｌ  Ｖｉｄｅｏ  Ｉｎｔｅｒａｃｔｉｖｅ）信号が挙げられる。
【００２９】
コントローラユニット１４は、ユーザＰＣ１３０又はＰＣユニット１２から出力された画像信号に対し、液晶パネル１０ａのサイズに合わせた画像変換処理（スケーリング）を施す画像変換器１４ａ（スケーラ）、画像処理用ＲＡＭ１４ｂ及びこれらが実装された基板（不図示）を含み、画像変換処理が施された画像をディスプレイ１０に出力する。画像処理用ＲＡＭ１４ｂは、画像データのワーキングエリアとして使われる。画像変換器１４ａ及び画像処理用ＲＡＭ１４ｂが実装された基板は、例えば直方体形状の箱形部材から成るパッケージ１５に内蔵されている。なお、コントローラユニット１４は、画像変換処理に加えて、例えば画像編集処理等の他の処理を行っても良い。
【００３０】
また、図２（Ａ）及び図２（Ｂ）に示されるように、一例として、パッケージ１５内の＋Ｘ側端には、接続端子３０がパッケージ１５の＋Ｘ側の面に形成された開口を介して露出するように設けられている。接続端子３０は、コントローラユニット１４の上記基板に実装され、画像変換器１４ａに接続されている。接続端子３０は、後述するコネクタ４０の一部が挿入される挿入部３０ａを有している。
【００３１】
図４には、ケーブルＣの一端部に取り付けられたコネクタ４０が接続端子３０（図４では不図示、図５参照）に差し込まれた（装着された）状態が示されている。ここでは、接続端子３０として、ＶＧＡ入力端子（映像入力端子）が用いられている。なお、ケーブルＣは、他端部がユーザＰＣ１３０に接続されている。
【００３２】
コネクタ４０は、一例として、接続端子３０の挿入部３０ａに挿入される端子部４０ａを有している。すなわち、コネクタ４０は、端子部４０ａが挿入部３０ａに挿入されたときに、接続端子３０に装着され、端子部４０ａが挿入部３０ａから抜けたときに、接続端子３０から離脱される。ここでは、コネクタ４０として、ＶＧＡコネクタが用いられている。
【００３３】
コネクタ４０は、図５に示されるように、接続端子３０に対してＸ軸方向に相対的に移動（スライド）されて抜き差し（着脱）される。すなわち、接続端子３０に対するコネクタ４０の抜き差し方向（着脱方向）は、Ｘ軸方向となっている。
【００３４】
ここで、ケーブルＣは、図４及び図５に示されるように、一端部（コネクタ４０が取り付けられた端部）及び他端部を除く部分である中間部の、一端部に近い一の部位が筐体１８の背面に、固定手段としての面状ファスナ５０を用いて固定（半固定を含む）されている。そこで、以下では、上記一の部位を被固定部位とも称する。
【００３５】
本実施形態では、面状ファスナ５０は、筐体１８の背面の、接続端子３０に対するコネクタ４０の抜き差し（着脱）が阻害されない位置に設けられている。
【００３６】
詳述すると、面状ファスナ５０は、筐体１８の背面の、コネクタ４０が接続端子３０に対して抜き差し（着脱）されるときのコネクタ４０の移動領域から外れた位置に設けられている（図６参照）。ここで、上記「移動領域」は、接続端子３０に対するコネクタ４０の差し込み量（挿入量）が最大となる位置（図７（Ａ）参照）と最小（０）となる位置（図７（Ｃ）参照）との間でコネクタ４０が移動する領域（図６の網掛け部分）を意味する。なお、図６の実線で示されているコネクタ４０は、差し込み量が最小（０）であり、図６の２点鎖線で示されているコネクタ４０は、差し込み量が最大である。図７（Ｂ）には、コネクタ４０が上記移動領域内の一の位置に位置している状態が示されている。
【００３７】
ここでは、面状ファスナ５０は、一例として、筐体１８の背面の、接続端子３０の＋Ｘ側かつ−Ｚ側の斜め下方の上記移動領域から外れた位置（以下では、ケーブル固定位置とも称する）に設けられている。
【００３８】
一方、仮に面状ファスナ５０が上記移動領域内に設けられた場合は、接続端子３０に対するコネクタ４０の抜き差し動作が制限される。すなわち、接続端子３０に対するコネクタ４０の抜き差しが阻害される。
【００３９】
面状ファスナ５０は、一例として、ケーブル固定位置に一部が取り付けられており、ケーブルＣの被固定部位を締め付けるように該被固定部位に巻き付けられた状態で部分同士が結合されている（図４参照）。これにより、ケーブルＣの被固定部位は、ケーブル固定位置で固定（半固定を含む）されている。ここでは、被固定部位は、Ｚ軸にほぼ平行な状態で面状ファスナ５０が巻き付けられているが、これに限らず、要は、被固定部位は、筐体１８の背面に沿った状態で面状ファスナが巻き付けられれば良い。このように、固定手段として面状ファスナ５０を用いることで、任意の太さ（径）のケーブルを容易に締め付け固定又は該締め付け固定を解除（取り外しを含む）することができる。
【００４０】
この場合、ケーブルＣの被固定部位と他端部との間の部分（以下では、他端側部分Ｃ１とも称する）に張力が発生しても、この張力は、面状ファスナ５０からの抗力（例えば摩擦力）でほぼ相殺され、ケーブルＣの被固定部位と一端部との間の部分（以下では、一端側部分Ｃ２とも称する）には、ほとんど作用しない。この結果、コネクタ４０及び該コネクタ４０が装着されている端子３０に外力（特にＸ軸方向以外の方向の外力）が作用することが防止される。
【００４１】
なお、ケーブルＣの他端部はユーザＰＣ１３０に接続されているため、例えばユーザがユーザＰＣを移動させ、ケーブルＣの他端側部分Ｃ１が引っ張られたときに、該他端側部分Ｃ１に張力が発生する。
【００４２】
また、一端側部分Ｃ２の長さ、及びケーブル固定位置は、一端側部分Ｃ２が撓むように設定されている。
【００４３】
この場合、他端側部分Ｃ１に発生した張力の一部が一端側部分Ｃ２に作用し、面状ファスナ５０に対して被固定部位が多少ずれても、一端側部分Ｃ２が撓んでいる限り、該一端側部分Ｃ２に張力が発生することはなく、コネクタ４０及び端子３０に外力が作用しない。
【００４４】
以下に、ケーブルＣの被固定部位を筐体１８の背面に固定する方法を簡単に説明する。
【００４５】
先ず、ユーザは、コネクタ４０を把持し、端子部４０ａを接続端子３０の挿入部３０ａに−Ｘ方向にスライドさせつつ挿入する（図５参照）。この結果、コネクタ４０が接続端子３０に装着される。
【００４６】
次に、ユーザは、ケーブルＣの被固定部位をケーブル固定位置に設けられた面状ファスナ５０を用いて固定する。具体的には、ケーブルＣの中間部の、一端部と被固定部位との間の部分（一端側部分Ｃ２）が撓むように被固定部位を選定し、選定された被固定部位に面状ファスナ５０を巻き付けて、該面状ファスナ５０の部分同士を結合させる。このとき、面状ファスナ５０で被固定部位を極力強く締め付けることが好ましい。
【００４７】
なお、コネクタ４０を接続端子３０に装着する前に、ケーブルＣの被固定部位を筐体１８の裏面のケーブル固定位置に固定しても良い。この場合も、一端側部分Ｃ２が撓むように被固定部位が固定されることが好ましい。
【００４８】
以上説明した本実施形態のディスプレイ装置１１０は、筐体１８と、表面に画像が表示される液晶パネル１０ａを含み、前記表面が筐体１８の正面側に露出し、かつ液晶パネル１０ａの裏面が筐体１８の背面で覆われるように筐体１８に保持されたディスプレイ１０と、筐体１８における液晶パネル１０ａの裏面側に設けられ、ディスプレイ１０に画像を出力する画像出力手段１３と、画像出力手段１３に設けられ、ケーブルＣの一端部に取り付けられたコネクタが抜き差し（着脱）される接続端子３０と、前記背面の、接続端子３０に対するコネクタ４０の抜き差し（着脱）が阻害されない位置に、ケーブルＣの中間部の被固定部位を固定するための面状ファスナ５０と、を備えている。
【００４９】
この場合、ケーブルＣの被固定部位は、該被固定部位が面状ファスナ５０を介して筐体１８の背面の、接続端子３０に対するコネクタ４０の着脱が阻害されない位置に固定されている。
【００５０】
この結果、ケーブルＣが引っ張られたときのコネクタ４０及び端子３０の損傷を防止でき、かつ端子３０に対するコネクタ４０の着脱を容易に行うことができる。
【００５１】
また、面状ファスナ５０は、筐体１８の背面の、接続端子３０に対してコネクタ４０が着脱されるときのコネクタ４０の移動領域から外れた位置に設けられている。
【００５２】
この場合、接続端子３０に対してコネクタ４０を着脱するとき、面状ファスナ５０が邪魔になることがなく、接続端子３０に対するコネクタ４０の着脱が阻害されない。
【００５３】
一方、例えば特許文献１に開示されている技術では、例えばパソコン等の装置本体に設けられた端子に装着されたコネクタを、固定部材を介して装置本体に固定しているため、端子に対してコネクタを着脱するときに、固定部材が邪魔になり、着脱動作が制限（着脱が阻害）されてしまう。すなわち、端子に対するコネクタの着脱を容易に行うことができない。
【００５４】
また、ケーブルＣの被固定部位は、一端側部分Ｃ２が撓む位置に固定されているため、他端側部分Ｃ１が引っ張られたときに、被固定部位が面状ファスナ５０に対して多少ずれても一端側部分Ｃ２が引っ張られることを防止できる。
【００５５】
なお、図８に示される変形例１のように、筐体１８の背面のケーブル固定位置の近傍にケーブルＣの中間部の一部分が巻き付けられるガイド部材２００を設けても良い。
【００５６】
変形例１では、ガイド部材２００として、例えば外周面に溝（不図示）が形成されたＹ軸方向に直交する楕円板状（又は円板状）の部材が採用されているが、ケーブルＣが巻き付けられる部材であれば他の部材であっても良い。
【００５７】
そして、変形例１では、ケーブルＣの中間部の、被固定部位に隣接する部分をガイド部材２００の外周面全周に少なくとも１回巻き付け、これにより形成された少なくとも１つの環状部分を面状ファスナ５０で束ねるように締め付け固定する。すなわち、ここでは、ケーブルＣの中間部の複数の部位（被固定部位）が面状ファスナ５０を用いてケーブル固定位置に一緒に固定される。
【００５８】
変形例１によると、ケーブルＣの他端側部分Ｃ１´に張力が発生したときに、面状ファスナ５０と被固定部位との間の摩擦力（該張力に抗する摩擦力）に加えて、ケーブルＣとガイド部材２００との間の摩擦力（該張力に抗する摩擦力）、及び複数の被固定部位間に摩擦力（該張力に抗する摩擦力）が発生するため、一端側部分Ｃ２´に張力が発生することを確実に防止でき、ひいてはコネクタ４０及び接続端子３０に外力が作用することを確実に防止できる。
【００５９】
ところで、近年、電子黒板は、例えば設置場所等の使用環境、要求される表示画像（横長画像又は縦長画像）に応じて、ディスプレイが縦向き姿勢及び横向き姿勢のいずれでも使用可能なものが普及している。なお、上記「横向き姿勢」とは、液晶パネルの矩形表面の長手方向の一辺が水平であり、かつ該一辺に直交する他辺が水平でない姿勢を意味する。また、上記「縦向き姿勢」とは、液晶パネルの矩形表面の長手方向の一辺が水平でなく、かつ該一辺に直交する他辺が水平である姿勢を意味する。
【００６０】
このような電子黒板においては、ディスプレイの各姿勢に応じてケーブルＣを筐体１８の背面の所定位置に固定することが望まれる。
【００６１】
そこで、図９及び図１０に示される変形例２では、筐体１８の背面に、固定手段としての複数の面状ファスナが設けられている。ここでは、一例として、４つの面状ファスナ５０ａ及び２つの面状ファスナ５０ｂが設けられている。図９及び図１０には、それぞれ変形例２におけるディスプレイ１０が横向き姿勢及び縦向き姿勢のときのディスプレイ装置の背面図（但し、支持スタンドは省略）が示されている。
【００６２】
４つの面状ファスナ５０ａは、筐体１８の背面の、液晶パネル１０ａの長手方向一側（パッケージ１５が配置されている側）の端部に該長手方向に直交する方向（以下では、短手方向とも称する）に並べて配置されている。より詳細には、４つの面状ファスナ５０ａのうち、２つは、接続端子３０の上記短手方向一側に配置され、残りの２つは、接続端子３０の上記短手方向他側に配置されている。
【００６３】
また、２つの面状ファスナ５０ｂは、筐体１８の背面の、液晶パネル１０ａの長手方向他側（パッケージ１５が配置されている側と反対側）の端部に上記短手方向に並べて配置されている。
【００６４】
そこで、例えば図９に示される、ディスプレイ１０が横向き姿勢（パッケージ１５が−Ｘ側に位置）のときに、４つの面状ファスナ５０ａのうち、下から２番目の面状ファスナ５０ａを用いて、ケーブルＣの一端部に近い一の被固定部位を固定するとともに、ケーブルＣの該一の被固定部位と他端部との間の他の被固定部位を、２つの面状ファスナ５０ｂのうち、下側の面状ファスナ５０ｂを用いて（図９参照）、又は４つの面状ファスナ５０ａのうち、最も下側の面状ファスナ５０ａを用いて（図９では不図示）固定することができる。
【００６５】
また、例えば図１０に示されるディスプレイ１０が縦向き姿勢（パッケージ１５が−Ｚ側に位置）のときに、ケーブルＣの一端部に近い一の被固定部位を中央の２つの面状ファスナ５０ａのいずれかを用いて固定することができる。なお、これに併せて、ケーブルＣの該一の被固定部位と他端部との間の他の被固定部位を、最も＋Ｘ側又は最も−Ｘ側の面状ファスナ５０ａのうち、該一の被固定部位に近いものを用いて固定することもできる。
【００６６】
第２変形例によると、例えば６つの面状ファスナを筐体１８の背面に上述した位置関係で設けることで、ディスプレイ１０の姿勢、ケーブルＣのディスプレイ装置からの引き出し方向等に応じて、ケーブルＣを固定するための適切な面状ファスナを選択できる。また、複数の面状ファスナを用いてケーブルＣの複数の被固定部位を筐体１８の背面の複数のケーブル固定位置に固定する場合には、コネクタ４０及び接続端子３０に外力が作用することをより確実に防止することができる。
【００６７】
なお、上記第２変形例では、４つの面状ファスナ５０ａは、上記長手方向に直交する方向に並べて配置されているが、これに限らず、要は、上記長手方向に交差する方向に並べて配置されていれば良い。
【００６８】
また、上記第２変形例では、２つの面状ファスナ５０ｂは、上記長手方向に直交する方向に並べて配置されているが、これに限らず、要は、上記長手方向に交差する方向に並べて配置されていれば良い。
【００６９】
また、固定部材は、ケーブルＣの被固定部位を筐体１８の背面に固定できる部材であれば、面状ファスナ以外の部材であっても良い。要は、ケーブルの被固定部位を保持可能な部材であれば良い。具体的には、例えば結束バンド、樹脂で被覆された針金、ケーブルクリップ、ケーブルクランプ等のケーブルを締め付け固定可能なものであっても良い。また、固定部材の材質は、特に限定されないが、摩擦係数が極力高い材質であることが好ましい。また、固定部材としては、任意の太さ（径）のケーブルを締め付け固定可能なものであることが好ましい。また、固定部材の配置は、適宜変更可能である。
【００７０】
また、上記第２変形例では、複数の固定部材は、実質的に同一（面状ファスナ）であるが、少なくとも２つの固定部材は、互いに異なるものであっても良い。また、複数の固定部材の配置は、適宜変更可能である。
【００７１】
また、上記実施形態及び各変形例では、画像出力手段１３は、ＰＣユニット１２を有しているが、必ずしも有していなくても良い。
【００７２】
また、上記実施形態及び各変形例では、ＰＣユニット１２及びコントローラユニット１４は、筐体１８の背面に設けられているが、これに限らず、例えば、ＰＣユニット１２及びコントローラユニット１４の一方が筐体１８内に設けられ、他方が筐体１８の背面に設けられても良いし、双方が筐体１８内に設けられても良い。
【００７３】
また、上記実施形態及び各変形例では、コネクタ４０の端子部４０ａが接続端子３０の挿入部３０ａに挿入されることとされているが、これに代えて、例えばコネクタの端子部に接続端子が挿入されること、すなわちコネクタに凹部が形成され、接続端子に該凹部に挿入される凸部が形成されていても良い。
【００７４】
また、上記実施形態及び各変形例では、接続端子に対するコネクタの抜き差し方向は、Ｘ軸方向とされているが、これに限らず、例えばＺ軸方向、Ｙ軸方向等の他の一軸方向であってもよい。
【００７５】
また、上記実施形態及び各変形例では、ケーブルの一端部に取り付けられたコネクタが着脱される端子として、ＶＧＡ入力端子が用いられたが、これに限らず、例えば、ＰＣユニット及びコントローラユニットの少なくとも一方に設けられるディスプレイポート（映像入力端子）、ＵＳＢ端子等であっても良い。
【００７６】
また、上記実施形態では、ケーブルＣの一端部と被固定部位との間の部分（一端側部分Ｃ２）が撓むように被固定部位がケーブル固定位置に固定されているが、これに代えて、一端側部分Ｃ２に小さな張力が発生するように被固定部位がケーブル固定位置に固定されても良い。この場合であっても、被固定部位が面状ファスナ５０を用いて強固に固定されていれば、他端側部分Ｃ１が引っ張られたときに一端側部分Ｃ２に大きな張力が発生することが防止され、コネクタ及び接続端子の損傷が防止される。
【００７７】
また、上記実施形態及び各変形例では、ディスプレイは、液晶パネルを有しているが、これに限らず、例えば、プラズマパネルを有していても良い。
【００７８】
また、上記実施形態及び各変形例では、ディスプレイ装置として、大型の表示パネルを有する電子黒板が採用されたが、これに限らず、例えば比較的小型の表示パネルを有するデスクトップ型のパソコン等が採用されても良い。
【００７９】
また、上記実施形態及び各変形例では、筐体１８は、支持スタンド２０で支持されているが、これに限らず、例えば床上、台上等に立てられた筐体の転倒を防止するための転倒防止部材を、筐体の背面に設けても良い。また、筐体を例えば壁等に立てかけて使用しても良い。
【符号の説明】
【００８０】
１０…ディスプレイ、１０ａ…液晶パネル（表示パネル）、１２…ＰＣユニット（画像出力手段の一部）、１４…コントローラユニット（画像出力手段の一部）、１８…筐体、３０…接続端子（端子）、４０…コネクタ、５０…面状ファスナ（固定部材、固定手段）、５０ａ…面状ファスナ（第１固定部材）、５０ｂ…面状ファスナ（第２固定部材）、１１０…ディスプレイ装置、Ｃ…ケーブル。
【先行技術文献】
【特許文献】
【００８１】
【特許文献１】特許第３１２０７６４号公報
【図１】
2014153534.tif 000003
【図２】
2014153534.tif 000004
【図３】
2014153534.tif 000005
【図４】
2014153534.tif 000006
【図５】
2014153534.tif 000007
【図６】
2014153534.tif 000008
【図７】
2014153534.tif 000009
【図８】
2014153534.tif 000010
【図９】
2014153534.tif 000011
【図１０】
2014153534.tif 000012